(57)【特許請求の範囲】
【請求項１】
第１の端末無線機、無線中継機、及び第２の端末無線機を備え、端末無線機は、送信開始の際に送信キャリアの周波数を、他機で現在使用中の送信キャリアの周波数は除外して選択するようになっている無線中継システムにおいて、
前記第１の端末無線機は、
伝達内容を第１の周波数のキャリアで送信する手段と、
伝達内容についての応答必要信号を第１の周波数のキャリアで送信する手段と、
を備え、
前記無線中継機は、
第１の周波数のキャリアで受信した伝達内容を、第１の周波数とは別の第２の周波数のキャリアで中継、送信する手段と、
第１の周波数のキャリアの受信が終了した後も第１の待ち時間内は第２の周波数のキャリアを送信し続ける手段と、
前記第１の待ち時間内に応答必要信号を第１の周波数のキャリアで受信した場合には、前記第１の待ち時間を延長した第２の待ち時間、第２の周波数のキャリアを送信し続け、また、受信しない場合には、前記第１の待ち時間の終了後に、第２の周波数のキャリアの送信を停止する手段と、
を備え、
前記第２の端末無線機は、
伝達内容を第２の周波数のキャリアで受信する手段、
を備えている、
ことを特徴とする無線中継システム。
【請求項２】
前記無線中継機は、
前記第１の待ち時間が終了するまでに応答必要信号を第１の周波数のキャリアで受信した場合には、応答必要信号を第２の周波数のキャリアで送信する手段、
を備えていることを特徴とする請求項１記載の無線中継システム。
【請求項３】
前記第２の端末無線機は、
応答必要信号を第２の周波数のキャリアで受信した場合には、その旨に係る情報を前記第２の端末無線機のユーザへ通知する手段、
を備えていることを特徴とする請求項２記載の無線中継システム。
【請求項４】
第１の端末無線機、無線中継機、及び第２の端末無線機を備え、端末無線機は、送信開始の際に送信キャリアの周波数を、他機で現在使用中の送信キャリアの周波数は除外して選択するようになっている無線中継システムにおいて、
前記第１の端末無線機は、
送信元及び／又は送信先の端末無線機のＩＤ及び伝達内容を第１の周波数のキャリアで送信する手段、
を備え、
前記無線中継機は、
第１の周波数のキャリアで受信した伝達内容を、第１の周波数とは別の第２の周波数のキャリアで中継、送信する手段と、
受信した送信元及び／又は送信先の端末無線機のＩＤに基づき、第１の周波数のキャリアの受信が終了した後に第２の周波数のキャリアの送信を所定の待ち時間だけ継続するか否かを決定し、決定内容を実行する手段と、
を備え、
前記第２の端末無線機は、
伝達内容を第２の周波数のキャリアで受信する手段、
を備えている、
ことを特徴とする無線中継システム。
【請求項５】
前記第２の端末無線機は、
前記第１の端末無線機からの伝達内容に対する応答内容を第１の周波数で送信する手段、
を備え、
前記無線中継機は、
第２の周波数のキャリアの送信を継続している待ち時間内に第１の周波数のキャリアを受信する場合、該キャリアに係る応答内容を第２の周波数のキャリアで中継、送信する手段、
を備えることを特徴とする請求項１〜４のいずれかに記載の無線中継システム。
【請求項６】
前記伝達内容は、通話及び／又はデータに係る情報であることを特徴とする請求項１〜５のいずれかに記載の無線中継システム。
【請求項７】
端末無線機は、送信開始の際に送信キャリアの周波数を、他機で現在使用中の送信キャリアの周波数は除外して選択するようになっている無線中継システムに装備される無線中継機であって、
第１の周波数のキャリアで受信した伝達内容を、第１の周波数とは別の第２の周波数のキャリアで中継、送信する手段と、
第１の周波数のキャリアの受信が終了した後も第１の待ち時間内は第２の周波数のキャリアを送信し続ける手段と、
前記第１の待ち時間内に応答必要信号を第１の周波数のキャリアで受信した場合には、前記第１の待ち時間を延長した第２の待ち時間、第２の周波数のキャリアを送信し続け、また、受信しない場合には、前記第１の待ち時間の終了後に、第２の周波数のキャリアの送信を停止する手段と、
を備えることを特徴とする無線中継機。
【請求項８】
端末無線機は、送信開始の際に送信キャリアの周波数を、他機で現在使用中の送信キャリアの周波数は除外して選択するようになっている無線中継システムに装備される無線中継機であって、
第１の周波数のキャリアで受信した伝達内容を、第１の周波数とは別の第２の周波数のキャリアで中継、送信する手段と、
受信した送信元及び／又は送信先の端末無線機のＩＤに基づき、第１の周波数のキャリアの受信が終了した後に第２の周波数のキャリアの送信を所定の待ち時間だけ継続するか否かを決定し、決定内容を実行する手段と、
を備えることを特徴とする無線中継機。
【発明の詳細な説明】
【技術分野】
【０００１】
本発明は、周波数占有時間を改善した無線中継システム、端末無線機及び無線中継機に関するものである。
【背景技術】
【０００２】
特許文献１は、第１の無線局が所定の周波数のキャリアを使って第２の無線局へデータを送り、これに対して、第２の無線局が、所定の周波数のキャリアを使って、ＡＣＫ信号を第１の無線局へ返す無線通信方法において、第１の無線局の通信終了後、第２の無線局の通信開始までの所定の周波数のキャリアの空白期間に、第３の無線局が、該所定の周波数のキャリアの未使用を検知してしまって、該所定の周波数のキャリアを使用開始するのを回避する技術を開示する。該無線通信方法によれば、第１の無線局は、所定の周波数のキャリアでデータを送出終了した後、所定時間は周波数のキャリアでダミー信号を送出し続ける。また、第２の無線局は、第１の無線局が所定の周波数のキャリアでダミー信号を送出し続けている所定時間の間に、ダミー信号の送出を開始し、その後、所定時間が経過してから、応答信号を送出するようにしている。
【０００３】
こうして、特許文献１の無線通信方法では、第１の無線局のデータ送信終了後、第２の無線局のＡＣＫ信号の送信開始までの期間も、所定の周波数のキャリアが存在し続けるので、第３の無線局が該期間に所定の周波数のキャリアを使って割り込むことを防止することができる。
【０００４】
一方、２個の端末無線機が、その無線が直接届かない場所に存在する場合、無線中継機が、両端末無線機の間に介在して、伝達内容を中継することが行われている。図９及び図１０は従来の無線中継システムにおける端末Ａ（以下、端末無線機を適宜、「端末」と略して呼ぶ。）から端末Ｂへの呼び出し通話に対して端末Ｂが端末Ａへ応答通話を行った場合及び行わなかった場合の端末Ａ−端末Ｂ間の通信に係るシーケンス図である。
【０００５】
図９及び図１０において、時刻ｔ１１−時刻ｔ１３間のシーケンスは、後述の図５及び図６の時刻ｔ１−時刻ｔ３間のシーケンスと同一であるので、詳細は後述することにして、概略について説明する。端末Ａのユーザは、端末Ｂへの呼び出し通話の実施中（時刻ｔ１１から時刻ｔ１３まで）は、端末ＡのＰＴＴ（Push-to-Talk）キーを押下状態（ＯＮ状態）に保持する。端末Ａからの呼び出し通話は、端末Ａから周波数Ｆ１のキャリアで送信される。
【０００６】
レピータ（無線中継機を適宜、「レピータ」と呼ぶことにする。）は、周波数Ｆ１のキャリアを受信し、該キャリアに含まれている呼び出し通話を周波数Ｆ２のキャリアで送信する。レピータは、周波数Ｆ１のキャリアの受信終了後も、時刻ｔ１３からレピートＨＯＬＤ（保持）時間が経過する時刻ｔ１４までは、周波数Ｆ２のキャリアの送信を継続する。なお、レピータがレピートＨＯＬＤ時間中に送信する周波数Ｆ２のキャリアに係る呼び出し通話は無音となっている。
【０００７】
端末ＢはレピートＨＯＬＤ時間内の所定時刻から応答通話を周波数Ｆ１のキャリアで送信開始する。レピータは、レピートＨＯＬＤ時間内において、周波数Ｆ１のキャリアを受信すると、該周波数Ｆ１のキャリアに含まれている呼び出し通話を周波数Ｆ２のキャリアで送信し、端末Ａは、該周波数Ｆ２のキャリアを受信して、応答通話をスピーカから出力する。
【０００８】
レピートＨＯＬＤ時間を設ける理由は、レピータにおいて、一旦、送信を終了すると、次に、送信再開するまでに、数十〜数百ミリ秒の時間がかかるので、端末Ｂから応答があった場合に、通信を円滑に継続させるため、及び他グループに周波数Ｆ２を使用させないためである。
【特許文献１】特開平８−２８８８８３号公報
【発明の開示】
【発明が解決しようとする課題】
【０００９】
レピートＨＯＬＤ時間は、端末Ｂが応答通話を返してきたときは、周波数Ｆ２のキャリアを使ったレピータによる円滑な中継、及び他グループによる周波数Ｆ２のキャリアの使用の禁止として意義があるが、もし、端末ＢがレピートＨＯＬＤ時間内に応答通話を行わなかった場合、レピートＨＯＬＤ時間は、所定周波数の不要な占有となって、他グループによる周波数Ｆ２の使用を妨害するので、有害である。
【００１０】
特許文献１は、無線中継機による中継について言及していないが、第２の無線局がＡＣＫ信号を発信しない場合には、第１の無線局によるダミー信号の送出時間は、応答がない場合のレピートＨＯＬＤ時間と同様に、所定周波数の不要な占有となって、他グループによる周波数Ｆ２の使用を妨害するので、有害である。
【００１１】
本発明の目的は、レピートＨＯＬＤ時間の機能を十分に発揮しつつ、無用なレピートＨＯＬＤ時間を排除できる無線中継システム、端末無線機及び無線中継機を提供することである。
【課題を解決するための手段】
【００１２】
本発明の無線中継システムは、第１の端末無線機、無線中継機及び第２の端末無線機を備えている。
【００１３】
第１の端末無線機は、伝達内容を第１の周波数のキャリアで送信する手段と、伝達内容についての応答必要信号を第１の周波数のキャリアで送信する手段と、を備えている。
【００１４】
無線中継機は、第１の周波数のキャリアで受信した伝達内容を、第１の周波数とは別の第２の周波数のキャリアで中継、送信する手段と、第１の周波数のキャリアの受信が終了した後も第１の待ち時間内は第２の周波数のキャリアを送信し続ける手段と、第１の待ち時間内に応答必要信号を第１の周波数のキャリアで受信した場合には、第１の待ち時間を延長した第２の待ち時間、第２の周波数のキャリアを送信し続け、また、受信しない場合には、第１の待ち時間の終了後に、第２の周波数のキャリアの送信を停止する手段と、を備えている。
【００１５】
第２の端末無線機は、伝達内容を第２の周波数のキャリアで受信する手段、備えている。
【００１６】
本発明の別の無線中継システムは、第１の端末無線機、無線中継機、及び第２の端末無線機を備えている。
【００１７】
該別の無線中継システムにおける第１の端末無線機は、送信元及び／又は送信先の端末無線機のＩＤ及び伝達内容を第１の周波数のキャリアで送信する手段、を備えている。
【００１８】
該別の無線中継システムにおける無線中継機は、第１の周波数のキャリアで受信した伝達内容を、第１の周波数とは別の第２の周波数のキャリアで中継、送信する手段と、受信した送信元及び／又は送信先の端末無線機のＩＤに基づき、第１の周波数のキャリアの受信が終了した後に第２の周波数のキャリアの送信を所定の待ち時間だけ継続するか否かを決定し、決定内容を実行する手段と、を備えている。
【００１９】
該別の無線中継システムにおける第２の端末無線機は、伝達内容を第２の周波数のキャリアで受信する手段、を備えている。
【発明の効果】
【００２０】
本発明によれば、無線中継機は、第１の端末無線機からの応答必要信号やＩＤ情報に基づき、第１の端末無線機からの通信終了後の第２の周波数のキャリアの送信継続の実行を決めるので、無駄な送信継続時間を回避できる。
【発明を実施するための最良の形態】
【００２１】
図１〜図４は無線通話中継システム１０における端末Ａ−端末Ｂ間の通信過程を示している。図５及び図６はそれぞれ端末Ａが応答必要信号を送信した場合及び送信しない場合の無線通話中継システム１０における端末Ａ−端末Ｂ間の通信過程のシーケンス図である。無線通話中継システム１０は、端末Ａ、端末Ｂ及びレピータＲを備えている。端末Ａ及び端末Ｂの電波は、両者の距離及び場所等の理由により相手方へ直接には届かず、端末Ａ−端末Ｂ間の通信はレピータＲによる中継を介して行われる。端末Ａ及び端末Ｂは、それぞれ別のユーザに携帯され、場所が適宜変化するが、レピータＲは通常、場所を固定されている。端末Ａ及び端末Ｂは、各ユーザの自動車等に搭載されてもよいし、レピータＲは、携帯タイプであっても、自動車搭載タイプであってもよい。
【００２２】
図１は呼び出し通話中の無線通話中継システム１０における通信状態を示している。呼び出し通話中とは、図５及び図６における時刻ｔ２−時刻ｔ３の期間を指す。端末Ａのユーザは、端末ＡのＰＴＴキーを押下しつつ（ＯＮにしつつ）、端末Ｂへのユーザへの呼び出し通話を行う（図５及び図６の時刻ｔ１）。端末Ａは、現在、キャリアの周波数として使用されていない周波数を見つけ出し、該周波数（該周波数を「周波数Ｆ１」とする。）のキャリアで呼び出し通話を送信する。端末Ａのユーザは、端末ＡのＰＴＴキーの押下を解除して、端末Ｂへの呼び出し通話を終了する（図５及び図６の時刻ｔ３）。
【００２３】
レピータＲは、周波数Ｆ１のキャリアを受信すると、所定の送信立ち上げ時間の後、周波数Ｆ１とは別の周波数Ｆ２（Ｆ２≠Ｆ１）のキャリアを使用して、呼び出し通話を送信開始する（図５及び図６の時刻ｔ２）。なお、周波数Ｆ２は、レピータＲが現在、不使用となっている周波数を調べ、それらの中から選択したものである。端末Ｂは、周波数Ｆ２のキャリアを受信して、端末Ａからの呼び出し通話をスピーカから出力する。
【００２４】
図２は端末Ａによる呼び出し通話が終了した後の応答確認待ち時間の無線通話中継システム１０の通信状態を示している。応答確認待ち時間とは、図６における時刻ｔ３−時刻ｔ８の期間を指す。端末Ａのユーザが端末ＡのＰＴＴキーの押下を解除するのに伴い（図５及び図６の時刻ｔ３）、端末Ａは周波数Ｆ１のキャリアの送信を終了する。レピータＲは、端末Ａからの周波数Ｆ１のキャリアの受信が終了した後も、直ちに、周波数Ｆ２のキャリアの送信を終了することなく、応答確認待ち時間だけ、周波数Ｆ２のキャリアの送信を継続する。なお、応答確認待ち時間におけるレピータＲからの周波数Ｆ２のキャリアは空の呼び出し通話となるので、該キャリアは無音送信となる。
【００２５】
図３は応答確認待ち時間に端末Ａが応答必要信号を送信した場合の無線通話中継システム１０における通信状態を示している。端末Ａのユーザは、端末Ｂのユーザからの応答通話を希望する場合には、応答確認待ち時間内に、所定時間だけＰＴＴキーを押下する（図５の時刻ｔ４−時刻ｔ５）。該所定時間の長さは、端末Ｂに対する端末Ａのユーザの応答希望の意図を確認できる必要十分な短い時間として設定されている。端末Ａは、ＰＴＴキーの押下時間だけ、周波数Ｆ１のキャリアを送信する。
【００２６】
レピータＲは、応答確認待ち時間内における時刻ｔ４から時刻ｔ５までの周波数Ｆ１のキャリアを受信すると、時刻ｔ５から所定のレピートＨＯＬＤ時間が経過するまで、周波数Ｆ２のキャリアの送信の継続を延長する。応答確認待ち時間は、例えば、５００ｍｓｅｃ〜１０ｓｅｃである。なお、図５では、レピートＨＯＬＤ時間は、時刻ｔ５から開始されているが、応答確認待ち時間の終了時刻ｔ８（図６）から開始されるようになっていてもよい。
【００２７】
レピータＲは、端末Ａから応答必要信号を受信すると、該応答必要信号を周波数Ｆ２のキャリアに含ませて送信する（図５の時刻ｔ６）。端末Ｂは、応答必要信号を周波数Ｆ２のキャリアで受信すると、端末Ａが端末Ｂに対して応答を希望している旨に係る情報を端末Ｂのディスプレイに表示したり、端末Ｂのスピーカから呼び出し音として出力したりする。
【００２８】
図４はレピートＨＯＬＤ時間内に端末Ｂが応答した場合の無線通話中継システム１０における通信状態を示している。端末Ｂのユーザは、端末Ａのユーザへの応答通話を行うために、端末ＢのＰＴＴキーを押下する（図５の時刻ｔ７）。これにより、端末Ｂは応答通話を周波数Ｆ１のキャリアで送信する。レピータＲは、周波数Ｆ１のキャリアを受信すると、周波数Ｆ１のキャリアに含まれている応答通話を周波数Ｆ２のキャリアで送信する。端末Ａは、周波数Ｆ２のキャリアを受信して、端末Ｂからの応答通話をスピーカより出力する。
【００２９】
こうして、レピータＲによる周波数Ｆ２のキャリアの送信が途切れることなく、端末Ａの呼び出し通話から端末Ｂの応答通話へ移行する。
【００３０】
一方、端末Ａのユーザが、応答確認待ち時間内に、応答希望の意図を意味するＰＴＴキーの押下を行わなかった場合、レピータＲは、応答確認待ち時間内に周波数Ｆ１のキャリアを受信しないことになるので、レピータＲは、応答確認待ち時間が終了しだい（図６の時刻ｔ８）、周波数Ｆ２のキャリアの送信を終了する。こうして、レピートＨＯＬＤ時間が無用に継続することが回避され、他のグループの端末は周波数Ｆ２のキャリアを早期に使用開始することができる。
【００３１】
端末Ａでは、呼び出し通話に対する応答希望の意図は応答確認待ち時間内に、ユーザが端末ＡのＰＴＴキーを押下することにより検出されることになっているが、ＰＴＴキー以外の操作部材を利用することもできる。例えば、端末Ａ，Ｂには、プログラマブルファンクショナルキーと称して、ユーザのニーズに合わせて所定の機能を割り当てることができるキーが装備されている。該プログラマブルファンクショナルキーに応答必要信号発信操作を割り当てることにより、ユーザは、プログラマブルファンクショナルキーを所定時間だけ押下して、応答必要信号を発信することができる。
【００３２】
ユーザ操作で応答必要信号を送信させて、レピータＲにおいて該応答必要信号に基づき待ち時間を設ける代わりに、端末Ａからの呼び出し通話の送信時に周波数Ｆ１のキャリアに呼び出し通話と共に含ませるＩＤ情報をレピータＲにおける応答必要の判定に利用することもできる。すなわち、端末Ａが呼び出し通話を周波数Ｆ１のキャリアで送信する場合、該周波数Ｆ１のキャリアには、呼び出し通話の送信元及び送信先の端末のＩＤが呼び出し通話と共に含まれる。レピータＲは、呼び出し通話の送信元及び／又は送信先の端末のＩＤに基づき、送信元及び／又は送信先が特定のＩＤである場合（送信元及び送信先のＩＤの場合には、送信元及び送信先のＩＤの所定の組み合わせとなる。）には、呼び出し通話の受信終了後、レピートＨＯＬＤ時間を設け、その他の場合には、呼び出し通話の受信終了後、待ち時間を設けることなく、直ちに、周波数Ｆ２のキャリアの送信を終了する。
【００３３】
また、その逆であってもよい。すなわち、レピータＲは、呼び出し通話の送信元及び送信先の端末無線機のＩＤに基づき、送信元及び／又は送信先が特定のＩＤである場合には、呼び出し通話の受信終了後、待ち時間内を設けることなく、直ちに、周波数Ｆ２のキャリアの送信を終了し、その他の場合には、呼び出し通話の受信終了後、周波数Ｆ２のキャリアの送信を待ち時間だけ継続する。
【００３４】
図７は無線中継システム３０のブロック図である。無線中継システム３０は、第１の端末無線機３１、無線中継機３２及び第２の端末無線機３３を備えている。無線中継システム３０の一例は図１〜図４の無線通話中継システム１０であり、第１の端末無線機３１、無線中継機３２及び第２の端末無線機３３の一例はそれぞれ図１〜図４の端末Ａ、レピータＲ及び端末Ｂである。なお、図７において、破線枠のブロックは、具体的態様として適宜、追加装備されるものであり、後述し、実線枠のブロックについて先に説明する。
【００３５】
第１の端末無線機３１は伝達内容送信手段３１１及び応答必要信号送信手段３１２を備えている。伝達内容送信手段３１１は、伝達内容を第１の周波数のキャリアで送信する。応答必要信号送信手段３１２は、伝達内容についての応答必要信号を第１の周波数のキャリアで送信する。
【００３６】
無線中継機３２は、伝達内容中継手段３２１、第１の送信継続手段３２２及び第２の送信継続手段３２３を備えている。伝達内容中継手段３２１は、第１の周波数のキャリアで受信した伝達内容を、第１の周波数とは別の第２の周波数のキャリアで中継、送信する。第１の送信継続手段３２２は、第１の周波数のキャリアの受信が終了した後も第１の待ち時間内は第２の周波数のキャリアを送信し続ける。第２の送信継続手段３２３は、第１の待ち時間内に応答必要信号を第１の周波数のキャリアで受信した場合には、第１の待ち時間を延長した第２の待ち時間、第２の周波数のキャリアを送信し続け、また、受信しない場合には、第１の待ち時間の終了後に、第２の周波数のキャリアの送信を停止する。
【００３７】
第２の端末無線機３３は伝達内容受信手段３３１を備えている。伝達内容受信手段３３１は、伝達内容を第２の周波数のキャリアで受信する。
【００３８】
第１の周波数及び第２の周波数の一例はそれぞれ前述の周波数Ｆ１，Ｆ２である。伝達内容は、通話に限定されず、データであってもよいし、通話及びデータの両方であってもよい。第１の待ち時間の一例は図５及び図６の応答確認待ち時間であり、第２の待ち時間の一例は図５及び図６のレピートＨＯＬＤ時間である。
【００３９】
無線中継機３２は、第１の端末無線機３１が応答必要信号を第１の周波数のキャリアで発信しない場合には、第１の端末無線機３１の伝達内容の送信終了後における第２の周波数のキャリアの送信時間を、第１の待ち時間のみに限定するので、無用な第２の待ち時間を排除して、第２の周波数のキャリアの早期利用を図ることかできる。
【００４０】
無線中継機３２は、また、第１の端末無線機３１が応答必要信号を第１の周波数のキャリアで発信する場合には、第１の端末無線機３１の伝達内容の送信終了後における第２の周波数のキャリアの送信時間を、第２の待ち時間終了まで延長する。したがって、第２の端末無線機３３が第１の端末無線機３１からの伝達内容に対して応答内容を発信することになっている場合、他のグループによる第２の周波数のキャリアの使用を禁止するとともに、無線中継機３２による応答内容の中継を円滑化することかできる。
【００４１】
無線中継システム３０の具体的態様について説明する。
【００４２】
無線中継機３２は応答必要信号中継手段３２６を備えることができる。応答必要信号中継手段３２６は、第１の待ち時間が終了するまでに応答必要信号を第１の周波数のキャリアで受信した場合には、応答必要信号を第２の周波数のキャリアで送信する。
【００４３】
第２の端末無線機３３は応答必要通知手段３３５を備えることができる。応答必要通知手段３３５は、応答必要信号を第２の周波数のキャリアで受信した場合には、その旨に係る情報を第２の端末無線機のユーザへ通知する。通知は、例えば、第１の端末無線機３１からの伝達内容に対する応答必要性を第２の端末無線機３３のディスプレイに表示するものであったり、第２の端末無線機３３のスピーカから所定音として出力するものであったりする。こうして、第２の端末無線機３３のユーザは、第１の端末無線機３１のユーザが応答を希望している場合には、適切に応答することができる。
【００４４】
第２の端末無線機３３は応答内容送信手段３３６を、また、無線中継機３２は応答内容中継手段３２７を、それぞれ備えてもよい。応答内容送信手段３３６は、第１の端末無線機３１からの伝達内容に対する応答内容を第１の周波数で送信する。これに対して、応答内容中継手段３２７は、第２の待ち時間内に第１の周波数のキャリアを受信する場合、該キャリアに係る応答内容を第２の周波数のキャリアで中継、送信する。応答内容は、通話に限定されず、データであってもよいし、通話及びデータの両方であってもよい。
【００４５】
図８は別の無線中継システム４０のブロック図である。無線中継システム４０は、第１の端末無線機４１、無線中継機４２及び第２の端末無線機４３を備えている。図８において、破線枠のブロックは、具体的態様として適宜、追加装備されるものであり、後述し、実線枠のブロックを先に説明する。
【００４６】
第１の端末無線機４１は伝達内容送信手段４１１を備えている。伝達内容送信手段４１１は、送信元及び／又は送信先の端末無線機のＩＤ及び伝達内容を第１の周波数のキャリアで送信する。
【００４７】
無線中継機４２は伝達内容中継手段４２１及び送信継続手段４２２を備えている。伝達内容中継手段４２１は、第１の周波数のキャリアで受信した伝達内容を、第１の周波数とは別の第２の周波数のキャリアで中継、送信する。送信継続手段４２２は、受信した送信元及び／又は送信先の端末無線機のＩＤに基づき、第１の周波数のキャリアの受信が終了した後に第２の周波数のキャリアの送信を所定の待ち時間だけ継続するか否かを決定し、決定内容を実行する。
【００４８】
第２の端末無線機４３は伝達内容受信手段４３１を備えている。伝達内容受信手段４３１は、伝達内容を第２の周波数のキャリアで受信する。
【００４９】
第１の周波数及び第２の周波数の一例はそれぞれ前述の周波数Ｆ１，Ｆ２である。伝達内容は、通話に限定されず、データであってもよいし、通話及びデータの両方であってもよい。
【００５０】
送信継続手段４２２は、送信元のＩＤのみに基づき、第２の周波数のキャリアの送信継続の待ち時間を設けてもよいし、送信先のＩＤのみに基づき待ち時間を設けてもよいし、送信元及び送信先のＩＤの組み合わせで待ち時間を設けてもよい。
【００５１】
送信継続手段４２２は、送信元のＩＤ、送信先のＩＤ、及び両者の組み合わせが特定のものであるときに、待ち時間を設けるのではなく、逆に、待ち時間を設けないようにしてもよい。
【００５２】
こうして、送信元及び／又は送信先のＩＤ情報から、伝達内容に対する応答がないと予想される場合には、無線中継機４２において、待ち時間が設けられず、第２の周波数の占有を早期に解放することができる。また、伝達内容に対する応答があると予想される場合には、所定の待ち時間を設けて、第２の周波数の占有が継続され、第２の端末無線機４３からの応答に対して、無線中継機４２は円滑に中継を実施することができる。
【００５３】
無線中継システム４０の具体的態様について説明する。
【００５４】
無線中継機４２は応答必要信号送信手段４２６を備えることもできる。応答必要信号送信手段４２６は、送信継続手段４２２が該待ち時間を設ける場合には、応答必要信号を第２の周波数のキャリアで送信する。
【００５５】
第２の端末無線機４３は応答必要通知手段４３５を備えることもできる。応答必要通知手段４３５は、応答必要信号を第２の周波数のキャリアで受信した場合には、その旨に係る情報を第２の端末無線機４３のユーザへ通知する。これにより、第２の端末無線機４３のユーザは、応答必要時には、応答通話を適切に実施できる。
【００５６】
第２の端末無線機４３は応答内容送信手段４３６を、また、無線中継機４２は応答内容中継手段４２７を、それぞれ備えてもよい。応答内容送信手段４３６は、第１の端末無線機からの伝達内容に対する応答内容を第１の周波数で送信する。応答内容中継手段４２７は、待ち時間内に第１の周波数を受信する場合、該第１の周波数に係る応答内容を第２の周波数のキャリアで中継、送信する。
【００５７】
本発明を最良の形態について説明したが、本発明は、これに限定されるものではなく、発明の要旨を逸脱しない範囲で、最良の形態における各構成要素を変形して具体化できる。また、発明の要旨を逸脱しない範囲で、最良の形態に開示されている複数の構成要素を便宜、組み合わせて、追加したり、いくつかの構成要素を削除したりして、種々の発明を形成することができる。さらに、開示した複数の実施形態間で、所定の構成要素を選択し、それらを組み合わせても、種々の発明を形成することができる。
【図面の簡単な説明】
【００５８】
【図１】呼び出し通話中の無線通話中継システムにおける通信状態を示す図である。
【図２】端末Ａによる呼び出し通話が終了した後の応答確認待ち時間の無線通話中継システムの通信状態を示す図である。
【図３】応答確認待ち時間に端末Ａが応答必要信号を送信した場合の無線通話中継システムにおける通信状態を示す図である。
【図４】レピートＨＯＬＤ時間内に端末Ｂが応答した場合の無線通話中継システムにおける通信状態を示す図である。
【図５】端末Ａが応答必要信号を送信した場合の無線通話中継システムにおける端末Ａ−端末Ｂ間の通信過程のシーケンス図である。
【００５９】
【図６】端末Ａが応答必要信号を送信しない場合の無線通話中継システムにおける端末Ａ−端末Ｂ間の通信過程のシーケンス図である。
【図７】無線中継システムのブロック図である。
【図８】別の無線中継システムのブロック図である。
【図９】従来の無線中継システムにおける端末Ａから端末Ｂへの呼び出し通話に対して端末Ｂが端末Ａへ応答通話を行った場合の端末Ａ−端末Ｂ間の通信に係るシーケンス図である。
【図１０】従来の無線中継システムにおける端末Ａから端末Ｂへの呼び出し通話に対して端末Ｂが端末Ａへ応答通話を行わなかった場合の端末Ａ−端末Ｂ間の通信に係るシーケンス図である。
【符号の説明】
【００６０】
３０：無線中継システム、３１：第１の端末無線機、３２：無線中継機、３３：第２の端末無線機、４０：無線中継システム、４１：第１の端末無線機、４２：無線中継機、４３：第２の端末無線機、３１１：伝達内容送信手段、３１２：応答必要信号送信手段、３２１：伝達内容中継手段、３２２：第１の送信継続手段、３２３：第２の送信継続手段、３２６：応答必要信号中継手段、３２７：応答内容中継手段、３３１：伝達内容受信手段、３３５：応答必要通知手段、３３６：応答内容送信手段、４１１：伝達内容送信手段、４２１：伝達内容中継手段、４２２：送信継続手段、４２６：応答必要信号送信手段、４２７：応答内容中継手段、４３１：伝達内容受信手段、４３５：応答必要通知手段、４３６：応答内容送信手段。
【図１】
0004760360.tif 000002
【図２】
0004760360.tif 000003
【図３】
0004760360.tif 000004
【図４】
0004760360.tif 000005
【図５】
0004760360.tif 000006
【図６】
0004760360.tif 000007
【図７】
0004760360.tif 000008
【図８】
0004760360.tif 000009
【図９】
0004760360.tif 000010
【図１０】
0004760360.tif 000011